(57)【特許請求の範囲】
【請求項１】
ネットワークデバイスに適用されるキャリア電力制御方法であって、
前記ネットワークデバイスの信号カバレッジに基づいて、伝送されるべき複数のキャリアの共通チャネルの最大伝送電力を設定する段階と、
前記ネットワークデバイスの総信号伝送電力及び前記複数のキャリアの前記共通チャネルの前記最大伝送電力に基づいて、前記複数のキャリアのトラフィックチャネルの最大伝送電力を設定する段階と、
スケジューリング期間ごとに、前記複数のキャリアの前記共通チャネルの前記最大伝送電力と、前記複数のキャリアの前記トラフィックチャネルの前記最大伝送電力と、前記スケジューリング期間における前記複数のキャリアの前記トラフィックチャネルの共有の伝送電力とに基づいて、前記スケジューリング期間における前記複数のキャリアを伝送する段階であって、前記スケジューリング期間における前記複数のキャリアの前記トラフィックチャネルの前記共有の伝送電力が、前記複数のキャリアの前記トラフィックチャネルに対する前記スケジューリング期間より以前のスケジューリング期間の複数の共有のトラフィック電力を設定した後に取得され、前記以前のスケジューリング期間の前記複数の共有のトラフィック電力が、前記複数のキャリアの前記トラフィックチャネルの前記最大伝送電力及び前記以前のスケジューリング期間における前記複数のキャリアの前記トラフィックチャネルの実際の伝送電力に基づいて決定することによって取得される、段階と、
前記スケジューリング期間における前記複数のキャリアの前記トラフィックチャネルの実際の伝送電力を決定する段階と、
前記複数のキャリアの前記トラフィックチャネルの前記最大伝送電力及び前記スケジューリング期間における前記複数のキャリアの前記トラフィックチャネルの前記実際の伝送電力に基づいて、前記スケジューリング期間の複数の共有のトラフィック電力を決定する段階と、
前記スケジューリング期間に対する次のスケジューリング期間における前記複数のキャリアの前記トラフィックチャネルの共有の伝送電力を取得すべく、前記複数のキャリアの前記トラフィックチャネルに対する前記スケジューリング期間の前記複数の共有のトラフィック電力を設定する段階と
を備え、
前記スケジューリング期間の前記複数の共有のトラフィック電力を決定する前記段階は、
前記複数のキャリアにおけるキャリアごとに、前記キャリアの前記トラフィックチャネルの最大伝送電力から前記スケジューリング期間における前記キャリアのトラフィックチャネルの実際の伝送電力を引くことによって取得された電力が、予め設定した電力より大きいとき、前記取得された電力を前記スケジューリング期間の共有のトラフィック電力として決定する段階
を有する、キャリア電力制御方法。
【請求項２】
前記スケジューリング期間に対する次のスケジューリング期間における前記複数のキャリアの前記トラフィックチャネルの共有の伝送電力を取得すべく、前記複数のキャリアの前記トラフィックチャネルに対する前記スケジューリング期間の前記複数の共有のトラフィック電力を設定する前記段階は、
前記複数のキャリアの前記トラフィックチャネルにおける複数のターゲットトラフィックチャネルを決定する段階であって、前記複数のターゲットトラフィックチャネルは、トラフィック性能が改善される必要があるチャネルである、段階と、
前記スケジューリング期間に対する次のスケジューリング期間における前記複数のターゲットトラフィックチャネルの共有の伝送電力を取得すべく、前記複数のターゲットトラフィックチャネルに対する前記スケジューリング期間の前記複数の共有のトラフィック電力を設定する段階と
を有する、請求項１に記載のキャリア電力制御方法。
【請求項３】
前記スケジューリング期間における前記複数の共有のトラフィック電力は、前記複数のターゲットトラフィックチャネルの電力構成比率に基づいて、前記複数のターゲットトラフィックチャネルに対して設定される、請求項２に記載のキャリア電力制御方法。
【請求項４】
前記複数のターゲットトラフィックチャネルは、予め設定した次数より低い変調次数を有するチャネル、予め設定した回数より多いトラフィックデータ再伝送回数を有するチャネル、又は、予め設定した比率より低い信号対雑音比を有するチャネルである、請求項２又は３に記載のキャリア電力制御方法。
【請求項５】
前記複数のキャリアにおけるキャリアごとに、前記キャリアが近い位置の端末と通信するキャリアであるとき、前記キャリアの前記トラフィックチャネルの前記最大伝送電力が変化しない状態を維持し、前記キャリアの前記トラフィックチャネルによって占有されるリソースブロック（ＲＢ）の数を増加させ、前記キャリアの前記トラフィックチャネルの電力スペクトル密度を減少させる段階であって、前記近い位置の端末と前記ネットワークデバイスとの間の距離は、予め設定した距離より短い、段階と、
前記キャリアが遠い位置の端末と通信するキャリアであるとき、前記キャリアの前記トラフィックチャネルの前記最大伝送電力が変化しない状態を維持し、前記キャリアの前記トラフィックチャネルによって占有される前記ＲＢの前記数を減少させ、前記キャリアの前記トラフィックチャネルの前記電力スペクトル密度を増加させる段階であって、前記遠い位置の端末と前記ネットワークデバイスとの間の距離は、予め設定した前記距離より短くない、段階と
をさらに備える、請求項１から４のいずれか一項に記載のキャリア電力制御方法。
【請求項６】
ネットワークデバイスに適用されるキャリア電力制御装置であって、
少なくとも１つのプロセッサと、インタフェース回路とを備え、前記少なくとも１つのプロセッサは、前記インタフェース回路と連結され、前記少なくとも１つのプロセッサは、前記インタフェース回路と協働して、
前記ネットワークデバイスの信号カバレッジに基づいて、伝送されるべき複数のキャリアの共通チャネルの最大伝送電力を設定する工程と、
前記ネットワークデバイスの総信号伝送電力及び前記複数のキャリアの前記共通チャネルの前記最大伝送電力に基づいて、前記複数のキャリアのトラフィックチャネルの最大伝送電力を設定工程と、
スケジューリング期間ごとに、前記複数のキャリアの前記共通チャネルの前記最大伝送電力と、前記複数のキャリアの前記トラフィックチャネルの前記最大伝送電力と、前記スケジューリング期間における前記複数のキャリアの前記トラフィックチャネルの共有の伝送電力とに基づいて、前記スケジューリング期間における前記複数のキャリアを伝送する工程であって、前記スケジューリング期間における前記複数のキャリアの前記トラフィックチャネルの前記共有の伝送電力が、前記複数のキャリアの前記トラフィックチャネルに対する前記スケジューリング期間より以前のスケジューリング期間の複数の共有のトラフィック電力を設定した後に取得され、前記以前のスケジューリング期間の前記複数の共有のトラフィック電力が、前記複数のキャリアの前記トラフィックチャネルの前記最大伝送電力及び前記以前のスケジューリング期間における前記複数のキャリアの前記トラフィックチャネルの実際の伝送電力に基づいて決定することによって取得される、工程と、
前記スケジューリング期間における前記複数のキャリアの前記トラフィックチャネルの実際の伝送電力を決定する工程と、
前記複数のキャリアの前記トラフィックチャネルの前記最大伝送電力及び前記スケジューリング期間における前記複数のキャリアの前記トラフィックチャネルの前記実際の伝送電力に基づいて、前記スケジューリング期間の複数の共有のトラフィック電力を決定する工程と、
前記スケジューリング期間に対する次のスケジューリング期間における前記複数のキャリアの前記トラフィックチャネルの共有の伝送電力を取得すべく、前記複数のキャリアの前記トラフィックチャネルに対する前記スケジューリング期間の前記複数の共有のトラフィック電力を設定する工程と
を備える工程を実行するための命令を実行するよう構成され、
前記スケジューリング期間の前記複数の共有のトラフィック電力を決定する前記工程は、
前記複数のキャリアにおけるキャリアごとに、前記キャリアの前記トラフィックチャネルの最大伝送電力から前記スケジューリング期間における前記キャリアのトラフィックチャネルの実際の伝送電力を引くことによって取得された電力が、予め設定した電力より大きいとき、前記取得された電力を前記スケジューリング期間の共有のトラフィック電力として決定する工程を含む、キャリア電力制御装置。
【請求項７】
前記少なくとも１つのプロセッサは、前記インタフェース回路と協働して、
前記複数のキャリアの前記トラフィックチャネルにおける複数のターゲットトラフィックチャネルを決定する工程であって、前記複数のターゲットトラフィックチャネルは、トラフィック性能が改善される必要があるチャネルである、工程と、
前記スケジューリング期間に対する次のスケジューリング期間における前記複数のターゲットトラフィックチャネルの共有の伝送電力を取得すべく、前記複数のターゲットトラフィックチャネルに対する前記スケジューリング期間の前記複数の共有のトラフィック電力を設定する工程と
を備える工程を実行するための命令を実行するよう構成される、請求項６に記載のキャリア電力制御装置。
【請求項８】
前記スケジューリング期間における前記複数の共有のトラフィック電力は、前記複数のターゲットトラフィックチャネルの電力構成比率に基づいて、前記複数のターゲットトラフィックチャネルに対して設定される、請求項７に記載のキャリア電力制御装置。
【請求項９】
前記複数のターゲットトラフィックチャネルは、予め設定した次数より低い変調次数を有するチャネル、予め設定した回数より多いトラフィックデータ再伝送回数を有するチャネル、又は、予め設定した比率より低い信号対雑音比を有するチャネルである、請求項７又は８に記載のキャリア電力制御装置。
【請求項１０】
前記少なくとも１つのプロセッサは、前記インタフェース回路と協働して、
前記複数のキャリアにおけるキャリアごとに、前記キャリアが近い位置の端末と通信するキャリアであるとき、前記キャリアの前記トラフィックチャネルの前記最大伝送電力が変化しない状態を維持し、前記キャリアの前記トラフィックチャネルによって占有されるリソースブロック（ＲＢ）の数を増加させ、前記キャリアの前記トラフィックチャネルの電力スペクトル密度を減少させる工程であって、前記近い位置の端末と前記ネットワークデバイスとの間の距離は、予め設定した距離より短い、工程と、
前記キャリアが遠い位置の端末と通信するキャリアであるとき、前記キャリアの前記トラフィックチャネルの前記最大伝送電力が変化しない状態を維持し、前記キャリアの前記トラフィックチャネルによって占有される前記ＲＢの前記数を減少させ、前記キャリアの前記トラフィックチャネルの前記電力スペクトル密度を増加させる工程であって、前記遠い位置の端末と前記ネットワークデバイスとの間の距離は、予め設定した前記距離より短くない、工程と
を備える工程を実行するための命令を実行するよう構成される、請求項６から９のいずれか一項に記載のキャリア電力制御装置。
【請求項１１】
コンピュータ可読記憶媒体であって、
前記コンピュータ可読記憶媒体は、命令を格納し、
前記命令は、コンピュータ上で動作すると、前記コンピュータに請求項１から５のいずれか一項に記載のキャリア電力制御方法を実行させる、
コンピュータ可読記憶媒体。
【請求項１２】
命令を備えるプログラムであって、
前記命令は、コンピュータ上で動作すると、前記コンピュータに請求項１から５のいずれか一項に記載のキャリア電力制御方法を実行させる、
プログラム。
【請求項１３】
ネットワークデバイスに適用されるキャリア電力制御方法であって、
前記ネットワークデバイスの信号カバレッジに基づいて、伝送されるべき複数のキャリアの共通チャネルの最大伝送電力を設定する段階と、
前記ネットワークデバイスの総信号伝送電力及び前記複数のキャリアの前記共通チャネルの前記最大伝送電力に基づいて、前記複数のキャリアのトラフィックチャネルの最大伝送電力を設定する段階と、
前記複数のキャリアにおけるキャリアごとに、前記キャリアが近い位置の端末と通信するキャリアであるとき、前記キャリアの前記トラフィックチャネルの前記最大伝送電力が変化しない状態を維持し、前記キャリアの前記トラフィックチャネルによって占有されるリソースブロック（ＲＢ）の数を増加させ、前記キャリアの前記トラフィックチャネルの電力スペクトル密度を減少させる段階であって、前記近い位置の端末と前記ネットワークデバイスとの間の距離は、予め設定した距離より短い、段階と、
前記キャリアが遠い位置の端末と通信するキャリアであるとき、前記キャリアの前記トラフィックチャネルの前記最大伝送電力が変化しない状態を維持し、前記キャリアの前記トラフィックチャネルによって占有される前記ＲＢの前記数を減少させ、前記キャリアの前記トラフィックチャネルの前記電力スペクトル密度を増加させる段階であって、前記遠い位置の端末と前記ネットワークデバイスとの間の距離は、予め設定した前記距離より短くない、段階と、
スケジューリング期間ごとに、前記複数のキャリアの前記共通チャネルの前記最大伝送電力と、前記複数のキャリアの前記トラフィックチャネルの前記最大伝送電力と、前記スケジューリング期間における前記複数のキャリアの前記トラフィックチャネルの共有の伝送電力とに基づいて、前記スケジューリング期間における前記複数のキャリアを伝送する段階と、
前記スケジューリング期間における前記複数のキャリアの前記トラフィックチャネルの実際の伝送電力を決定する段階と、
前記複数のキャリアの前記トラフィックチャネルの前記最大伝送電力及び前記スケジューリング期間における前記複数のキャリアの前記トラフィックチャネルの前記実際の伝送電力に基づいて、前記スケジューリング期間の複数の共有のトラフィック電力を決定する段階と、
前記スケジューリング期間に対する次のスケジューリング期間における前記複数のキャリアの前記トラフィックチャネルの共有の伝送電力を取得すべく、前記複数のキャリアの前記トラフィックチャネルに対する前記スケジューリング期間の前記複数の共有のトラフィック電力を設定する段階と
を備え、
前記スケジューリング期間の前記複数の共有のトラフィック電力を決定する前記段階は、
前記複数のキャリアにおけるキャリアごとに、前記キャリアの前記トラフィックチャネルの最大伝送電力から前記スケジューリング期間における前記キャリアのトラフィックチャネルの実際の伝送電力を引くことによって取得された電力が、予め設定した電力より大きいとき、前記取得された電力を前記スケジューリング期間の共有のトラフィック電力として決定する段階
を有する、キャリア電力制御方法。
【請求項１４】
ネットワークデバイスに適用されるキャリア電力制御装置であって、
少なくとも１つのプロセッサと、インタフェース回路とを備え、前記少なくとも１つのプロセッサは、前記インタフェース回路と連結され、前記少なくとも１つのプロセッサは、前記インタフェース回路と協働して、
前記ネットワークデバイスの信号カバレッジに基づいて、伝送されるべき複数のキャリアの共通チャネルの最大伝送電力を設定する工程と、
前記ネットワークデバイスの総信号伝送電力及び前記複数のキャリアの前記共通チャネルの前記最大伝送電力に基づいて、前記複数のキャリアのトラフィックチャネルの最大伝送電力を設定する工程と、
前記複数のキャリアにおけるキャリアごとに、前記キャリアが近い位置の端末と通信するキャリアであるとき、前記キャリアの前記トラフィックチャネルの前記最大伝送電力が変化しない状態を維持し、前記キャリアの前記トラフィックチャネルによって占有されるリソースブロック（ＲＢ）の数を増加させ、前記キャリアの前記トラフィックチャネルの電力スペクトル密度を減少させる工程であって、前記近い位置の端末と前記ネットワークデバイスとの間の距離は、予め設定した距離より短い、工程と、
前記キャリアが遠い位置の端末と通信するキャリアであるとき、前記キャリアの前記トラフィックチャネルの前記最大伝送電力が変化しない状態を維持し、前記キャリアの前記トラフィックチャネルによって占有される前記ＲＢの前記数を減少させ、前記キャリアの前記トラフィックチャネルの前記電力スペクトル密度を増加させる工程であって、前記遠い位置の端末と前記ネットワークデバイスとの間の距離は、予め設定した前記距離より短くない、工程と、
スケジューリング期間ごとに、前記複数のキャリアの前記共通チャネルの前記最大伝送電力と、前記複数のキャリアの前記トラフィックチャネルの前記最大伝送電力と、前記スケジューリング期間における前記複数のキャリアの前記トラフィックチャネルの共有の伝送電力とに基づいて、前記スケジューリング期間における前記複数のキャリアを伝送する工程と、
前記スケジューリング期間における前記複数のキャリアの前記トラフィックチャネルの実際の伝送電力を決定する工程と、
前記複数のキャリアの前記トラフィックチャネルの前記最大伝送電力及び前記スケジューリング期間における前記複数のキャリアの前記トラフィックチャネルの前記実際の伝送電力に基づいて、前記スケジューリング期間の複数の共有のトラフィック電力を決定する工程と、
前記スケジューリング期間に対する次のスケジューリング期間における前記複数のキャリアの前記トラフィックチャネルの共有の伝送電力を取得すべく、前記複数のキャリアの前記トラフィックチャネルに対する前記スケジューリング期間の前記複数の共有のトラフィック電力を設定する工程と
を備える工程を実行するための命令を実行するよう構成され、
前記スケジューリング期間の前記複数の共有のトラフィック電力を決定する前記工程は、
前記複数のキャリアにおけるキャリアごとに、前記キャリアの前記トラフィックチャネルの最大伝送電力から前記スケジューリング期間における前記キャリアのトラフィックチャネルの実際の伝送電力を引くことによって取得された電力が、予め設定した電力より大きいとき、前記取得された電力を前記スケジューリング期間の共有のトラフィック電力として決定する工程
を有する、キャリア電力制御装置。
【請求項１５】
コンピュータ可読記憶媒体であって、
前記コンピュータ可読記憶媒体は、命令を格納し、
前記命令は、コンピュータ上で動作すると、前記コンピュータに請求項１３に記載のキャリア電力制御方法を実行させる、
コンピュータ可読記憶媒体。
【請求項１６】
命令を備えるプログラムであって、
前記命令は、コンピュータ上で動作すると、前記コンピュータに請求項１３に記載のキャリア電力制御方法を実行させる、
プログラム。
【発明の詳細な説明】
【技術分野】
【０００１】
本願は、通信技術分野に関し、特に、キャリア電力制御方法及び装置、記憶媒体、並びにコンピュータプログラムプロダクトに関する。
【背景技術】
【０００２】
通信技術の継続的な開発によって、電磁放射の暴露レベルが次第に増加し、電磁放射は、大気汚染、水質汚染、及び騒音汚染の後の他の主要な汚染となっている。通信分野における最も一般的な信号伝送デバイスとして、基地局は、電磁放射の主要な発生源のうちの１つである。基地局の電磁放射は、通常、基地局の過度に高い電磁放射を回避して、人々の健康を害することを回避すべく、制限されている。基地局の電磁放射はキャリアの伝送電力に関連しているので、言い換えれば、キャリアのより高い伝送電力はより高い電磁放射を引き起こすので、基地局は、通常、キャリアの総伝送電力を制御することによって、基地局の電磁放射を制限する。
【０００３】
現在、電磁放射が制限されていないとき、基地局は、基地局が提供できる最大電力に基づいて、キャリアの伝送電力を設定し得る。しかしながら、基地局が電磁放射を限定するとき、電磁放射が制限されていないときに基地局によって設定されたキャリアの伝送電力は、通常、均一な比率に基づいて減少し、その結果、基地局のキャリアの総伝送電力は、電磁放射によって制限される電力より低い。その後、基地局は、均一な比率に基づいて減少したキャリアの伝送電力に基づいて、それぞれのスケジューリング期間におけるキャリアの伝送を制御してよく、その結果、基地局の電磁放射は、設計要件を満たす。
【０００４】
例えば、図１に示されるように、電磁放射が制限されていないとき、基地局は、基地局が提供できる最大電力に基づいて、キャリア１及びキャリア２の伝送電力を設定し得る。この場合、キャリア１の伝送電力はＰ１であり、キャリア２の伝送電力はＰ２である。しかしながら、基地局が電磁放射を制限するとき、電磁放射が制限されていないときに基地局によって設定されたキャリアの伝送電力が、均一な比率に基づいて減少する。この場合、キャリア１の伝送電力がＰ１からＰ３に減少し、キャリア２の伝送電力がＰ２からＰ４に減少する。その後、基地局は、キャリア１の伝送電力Ｐ３及びキャリア２の伝送電力Ｐ４に基づいて、それぞれのスケジューリング期間におけるキャリア１及びキャリア２の伝送を制御し得る。
【０００５】
キャリアは、概して、共通チャネル及びトラフィックチャネルを含む。例えば、キャリア１は共通チャネル１及びトラフィックチャネル１を含み、キャリア２は共通チャネル２及びトラフィックチャネル２を含む。均一な比率に基づいてキャリアの伝送電力を減少させることは、キャリアの共通チャネル及びトラフィックチャネルの伝送電力の両方が、均一な比率に基づいて減少することを示す。例えば、キャリア１の共通チャネル１の伝送電力はＰ５からＰ６に減少し、キャリア１のトラフィックチャネル１の伝送電力はＰ７からＰ８に減少する。キャリアの共通チャネルの伝送電力が減少するとき、基地局のアンテナの放射ビームにおけるメインローブのカバレッジが縮小する。その結果、基地局のセルカバレッジが縮小する。結果として、セル容量が減少する。加えて、キャリアのトラフィックチャネルの伝送電力が減少するときに、基地局のセルサービススループットも減少する。
【発明の概要】
【０００６】
基地局のセルカバレッジが縮小して基地局のセルサービススループットが減少する、という関連技術における課題を解決すべく、本願は、キャリア電力制御方法及び装置、記憶媒体、並びにコンピュータプログラムプロダクトを提供する。技術的解決手段は以下のとおりである。
【０００７】
第１の態様によれば、キャリア電力制御方法が提供される。ネットワークデバイスに適用される方法は、ネットワークデバイスの信号カバレッジに基づいて、伝送されるべき複数のキャリアの共通チャネルの最大伝送電力を設定する段階と、ネットワークデバイスの総信号伝送電力及び複数のキャリアの共通チャネルの最大伝送電力に基づいて、複数のキャリアのトラフィックチャネルの最大伝送電力を設定する段階と、スケジューリング期間ごとに、複数のキャリアの共通チャネルの最大伝送電力と、複数のキャリアのトラフィックチャネルの最大伝送電力と、スケジューリング期間における複数のキャリアのトラフィックチャネルの共有の伝送電力とに基づいて、スケジューリング期間における複数のキャリアを伝送する段階を含む。ここで、スケジューリング期間における複数のキャリアのトラフィックチャネルの共有の伝送電力が複数のキャリアのトラフィックチャネルに対するスケジューリング期間より以前のスケジューリング期間の複数の共有のトラフィック電力を設定した後に取得され、以前のスケジューリング期間の複数の共有のトラフィック電力が、複数のキャリアのトラフィックチャネルの最大伝送電力及び以前のスケジューリング期間における複数のキャリアのトラフィックチャネルの実際の伝送電力に基づいて決定することによって取得される。
【０００８】
複数のキャリアが異なる規格及び／又は異なる周波数帯のキャリアを含むことに留意されたい。
【０００９】
本発明の本実施形態において、複数のキャリアの共通チャネルの最大伝送電力がネットワークデバイスの信号カバレッジに基づいて設定された後、ネットワークデバイスは、複数のキャリアの共通チャネルの最大伝送電力で複数のキャリアの共通チャネルを伝送し得る。この場合、複数のキャリアの共通チャネルのカバレッジが、ネットワークデバイスによって予め計画された信号カバレッジに達することができ、ネットワークデバイスの信号カバレッジが縮小しないことを保証する。加えて、複数のキャリアのトラフィックチャネルのトラフィックスループットが、複数のキャリアの共通チャネルの最大伝送電力を減少させることなく、すなわち、ネットワークデバイスの信号カバレッジを縮小させることなく、使用するために複数のキャリアのトラフィックチャネルと複数の共有の電力を共有することによって改善される。
【００１０】
さらに、スケジューリング期間における複数のキャリアを伝送する段階の後、方法は、スケジューリング期間における複数のキャリアのトラフィックチャネルの実際の伝送電力を決定する段階と、複数のキャリアのトラフィックチャネルの最大伝送電力及びスケジューリング期間における複数のキャリアのトラフィックチャネルの実際の伝送電力に基づいて、スケジューリング期間の複数の共有のトラフィック電力を決定する段階と、スケジューリング期間に対する次のスケジューリング期間における複数のキャリアのトラフィックチャネルの共有の伝送電力を取得すべく、複数のキャリアのトラフィックチャネルに対するスケジューリング期間の複数の共有のトラフィック電力を設定する段階とをさらに含む。
【００１１】
複数のキャリアのトラフィックチャネルの最大伝送電力及びスケジューリング期間における複数のキャリアのトラフィックチャネルの実際の伝送電力に基づいて、スケジューリング期間の複数の共有のトラフィック電力を決定する段階は、複数のキャリアにおけるキャリアごとに、キャリアのトラフィックチャネルの最大伝送電力からスケジューリング期間におけるキャリアのトラフィックチャネルの実際の伝送電力を引くことによって取得された電力が、予め設定した電力より大きいとき、取得された電力をスケジューリング期間の共有のトラフィック電力として決定する段階を含む。
【００１２】
本発明の本実施形態において、キャリアのトラフィックチャネルによって用いられる実際の電力と、キャリアのトラフィックチャネルに対して設定された電力との間に比較的大きい差が存在するときにのみ、スケジューリング期間におけるキャリアのトラフィックチャネルによって用いられない全て電力が、スケジューリング期間の共有のトラフィック電力として決定され、共有のトラフィック電力が他のキャリアのトラフィックチャネルと後に共有されるときに、キャリアのトラフィックチャネルの正常な伝送が影響を受けないことを保証する。
【００１３】
スケジューリング期間に対する次のスケジューリング期間における複数のキャリアのトラフィックチャネルの共有の伝送電力を取得すべく、複数のキャリアのトラフィックチャネルに対するスケジューリング期間の複数の共有のトラフィック電力を設定する段階は、複数のキャリアのトラフィックチャネルにおける複数のターゲットトラフィックチャネルを決定する段階であって、複数のターゲットトラフィックチャネルは、トラフィック性能が改善される必要があるチャネルである、段階と、スケジューリング期間に対する次のスケジューリング期間における複数のターゲットトラフィックチャネルの共有の伝送電力を取得すべく、複数のターゲットトラフィックチャネルに対するスケジューリング期間の複数の共有のトラフィック電力を設定する段階とを含む。
【００１４】
ターゲットトラフィックチャネルが比較的低いトラフィック性能を有するチャネルであることに留意されたい。例えば、ターゲットトラフィックチャネルは、予め設定した次数より低い変調次数を有するチャネル、予め設定したデータ量より大きいトラフィックデータ量を搬送するチャネル、予め設定した回数より多いトラフィックデータ再伝送回数を有するチャネル、予め設定した比率より低い信号対雑音比を有するチャネル、又は同様のものであり得る。これは、本発明の本実施形態において限定されることはない。予め設定した次数、予め設定したデータ量、予め設定した回数、及び予め設定した比率が全て予め設定され得る。これは、本発明の本実施形態において限定されることはない。
【００１５】
方法は、複数のキャリアにおけるキャリアごとに、キャリアが近い位置の端末と通信するキャリアであるとき、キャリアのトラフィックチャネルの最大伝送電力が変化しない状態を維持し、キャリアのトラフィックチャネルによって占有されるリソースブロック（Ｒｅｓｏｕｒｃｅ  Ｂｌｏｃｋ、ＲＢ）の数を増加させ、キャリアのトラフィックチャネルの電力スペクトル密度を減少させる段階であって、近い位置の端末とネットワークデバイスとの間の距離は、予め設定した距離より短い、段階と、キャリアが遠い位置の端末と通信するキャリアであるとき、キャリアのトラフィックチャネルの最大伝送電力が変化しない状態を維持し、キャリアのトラフィックチャネルによって占有されるＲＢの数を減少させて、キャリアのトラフィックチャネルの電力スペクトル密度を増加させる段階であって、遠い位置の端末とネットワークデバイスとの間の距離は、予め設定した距離より短くない、段階とをさらに含む。
【００１６】
近い位置の端末の帯域幅は、通常、制限されている。したがって、近い位置の端末と通信するキャリアのトラフィックチャネルによって占有されるＲＢの数を増加させることによって、すなわち、近い位置の端末の利用可能な帯域幅を増加させることによって改善され得る伝送レートは、キャリアのトラフィックチャネルの電力スペクトル密度を減少させることによって減少する伝送レートより大きく、その結果、キャリアのトラフィックチャネルの伝送レートが増加して、それにより、キャリアのトラフィックチャネルのトラフィックスループットを改善する。遠い位置の端末の電力は、通常、制限されている。したがって、遠い位置の端末と通信するキャリアのトラフィックチャネルの電力スペクトル密度を増加させることによって、すなわち、遠い位置の端末の利用可能な電力を増加させることによって改善され得る伝送レートは、キャリアのトラフィックチャネルによって占有されるＲＢの数を減少させることによって減少する伝送レートより大きく、その結果、キャリアのトラフィックチャネルの伝送レートが増加して、それにより、キャリアのトラフィックチャネルのトラフィックスループットを改善する。言い換えれば、本発明の本実施形態において、電力リソース及びスペクトルリソースを動的に調整することによって、キャリアのトラフィックチャネルの最大伝送電力が変化しない状態を維持するときに、キャリアのトラフィックチャネルのトラフィックスループットが改善され得る。
【００１７】
第２の態様によれば、キャリア電力制御装置が提供される。キャリア電力制御装置は、上述の第１の態様におけるキャリア電力制御方法を実装する機能を含む。キャリア電力制御装置は、少なくとも１つのモジュールを含み、少なくとも１つのモジュールは、上述の第１の態様において提供されるキャリア電力制御方法を実装するよう構成される。
【００１８】
第３の態様によれば、キャリア電力制御装置が提供される。キャリア電力制御装置の構造は、プロセッサ及びメモリを含む。メモリは、上述の第１の態様において提供されるキャリア電力制御方法を実行する際にキャリア電力制御装置をサポートするプログラムを格納し、上述の第１の態様におけるキャリア電力制御方法を実装するのに用いられる関連データを格納するよう構成される。プロセッサは、メモリに格納されたプログラムを実行するよう構成される。キャリア電力制御装置はまた、通信バスを含んでよく、通信バスは、プロセッサとメモリとの間の接続を構築するよう構成される。
【００１９】
第４の態様によれば、コンピュータ可読記憶媒体が提供される。コンピュータ可読記憶媒体は命令を格納し、命令は、コンピュータ上で動作すると、コンピュータに上述の第１の態様におけるキャリア電力制御方法を実行させる。
【００２０】
第５の態様によれば、命令を含むコンピュータプログラムプロダクトが提供される。コンピュータプログラムプロダクトは、コンピュータ上で動作すると、コンピュータに上述の第１の態様におけるキャリア電力制御方法を実行させる。
【００２１】
第２の態様によって、第３の態様によって、第４の態様によって、及び第５の態様によって取得される技術的効果は、第１の態様における対応する技術的手段によって取得される技術的効果と同様であり、詳細はここでは再び説明されない。
【００２２】
第６の態様によれば、キャリア電力制御方法が提供される。方法はネットワークデバイスに適用され、ネットワークデバイスの信号カバレッジに基づいて、伝送されるべき複数のキャリアの共通チャネルの最大伝送電力を設定する段階と、ネットワークデバイスの総信号伝送電力及び複数のキャリアの共通チャネルの最大伝送電力に基づいて、複数のキャリアのトラフィックチャネルの最大伝送電力を設定する段階と、複数のキャリアにおけるキャリアごとに、キャリアが近い位置の端末と通信するキャリアであるとき、キャリアのトラフィックチャネルの最大伝送電力が変化しない状態を維持し、キャリアのトラフィックチャネルによって占有されるリソースブロックＲＢの数を増加させ、キャリアのトラフィックチャネルの電力スペクトル密度を減少させる段階であって、近い位置の端末とネットワークデバイスとの間の距離は、予め設定した距離より短い、段階と、キャリアが遠い位置の端末と通信するキャリアであるとき、キャリアのトラフィックチャネルの最大伝送電力が変化しない状態を維持し、キャリアのトラフィックチャネルによって占有されるＲＢの数を減少させ、キャリアのトラフィックチャネルの電力スペクトル密度を増加させる段階であって、遠い位置の端末とネットワークデバイスとの間の距離は、予め設定した距離より短くない、段階とを含む。
【００２３】
近い位置の端末の帯域幅は、通常、制限されている。したがって、近い位置の端末と通信するキャリアのトラフィックチャネルによって占有されるＲＢの数を増加させることによって、すなわち、近い位置の端末の利用可能な帯域幅を増加させることによって改善され得る伝送レートは、キャリアのトラフィックチャネルの電力スペクトル密度を減少させることによって減少する伝送レートより大きく、その結果、キャリアのトラフィックチャネルの伝送レートが増加して、それにより、キャリアのトラフィックチャネルのトラフィックスループットを改善する。遠い位置の端末の電力は、通常、制限されている。したがって、遠い位置の端末と通信するキャリアのトラフィックチャネルの電力スペクトル密度を増加させることによって、すなわち、遠い位置の端末の利用可能な電力を増加させることによって改善され得る伝送レートは、キャリアのトラフィックチャネルによって占有されるＲＢの数を減少させることによって減少する伝送レートより大きく、その結果、キャリアのトラフィックチャネルの伝送レートが増加して、それにより、キャリアのトラフィックチャネルのトラフィックスループットを改善する。言い換えれば、本発明の本実施形態において、電力リソース及びスペクトルリソースを動的に調整することによって、キャリアのトラフィックチャネルの最大伝送電力が変化しない状態を維持するときに、キャリアのトラフィックチャネルのトラフィックスループットが改善され得る。
【００２４】
第７の態様によれば、キャリア電力制御装置が提供される。キャリア電力制御装置は、上述の第６の態様におけるキャリア電力制御方法の動作を実施する機能を含む。キャリア電力制御装置は、少なくとも１つのモジュールを含み、少なくとも１つのモジュールは、上述の第６の態様において提供されるキャリア電力制御方法を実装するよう構成される。
【００２５】
第８の態様によれば、キャリア電力制御装置が提供される。キャリア電力制御装置の構造は、プロセッサ及びメモリを含む。メモリは、上述の第６の態様において提供されるキャリア電力制御方法を実行する際にキャリア電力制御装置をサポートするプログラムを格納し、上述の第６の態様にけるキャリア電力制御方法を実装するのに用いられる関連データを格納するよう構成される。プロセッサは、メモリに格納されたプログラムを実行するよう構成される。キャリア電力制御装置はまた、通信バスを含んでよく、通信バスは、プロセッサとメモリとの間の接続を構築するよう構成される。
【００２６】
第９の態様によれば、コンピュータ可読記憶媒体が提供される。コンピュータ可読記憶媒体は命令を格納し、命令は、コンピュータ上で動作すると、コンピュータに上述の第６の態様におけるキャリア電力制御方法を実行させる。
【００２７】
第１０の態様によれば、命令を含むコンピュータプログラムプロダクトが提供される。命令は、コンピュータ上で動作すると、コンピュータに上述の第６の態様におけるキャリア電力制御方法を実行させる。
【００２８】
第７の態様によって、第８の態様によって、第９の態様によって、及び第１０の態様によって取得される技術的効果は、第６の態様における対応する技術的手段によって取得される技術的効果と同様であり、詳細はここでは再び説明されない。
【００２９】
本願によって提供される技術的解決手段の有益な効果は、以下のとおりである。まず、伝送されるべき複数のキャリアの共通チャネルの最大伝送電力が、ネットワークデバイスの信号カバレッジに基づいて設定されて、ネットワークデバイスの信号カバレッジが縮小しないことを保証する。そして、複数のキャリアのトラフィックチャネルの最大伝送電力が、ネットワークデバイスの総信号伝送電力及び複数のキャリアの共通チャネルの最大伝送電力に基づいて設定される。スケジューリング期間ごとに、スケジューリング期間より以前のスケジューリング期間の複数の共有のトラフィック電力が、複数のキャリアのトラフィックチャネルの最大伝送電力及び以前のスケジューリング期間における複数のキャリアのトラフィックチャネルの実際の伝送電力に基づいて決定され、スケジューリング期間における複数のキャリアのトラフィックチャネルの共有の伝送電力を取得すべく、以前のスケジューリング期間の複数の共有のトラフィック電力が、複数のキャリアのトラフィックチャネルに対して設定される。その後、複数のキャリアが、複数のキャリアの共通チャネルの最大伝送電力と、複数のキャリアのトラフィックチャネルの最大伝送電力と、スケジューリング期間における複数のキャリアのトラフィックチャネルの共有の伝送電力とに基づいて、スケジューリング期間において伝送され、その結果、複数のキャリアのトラフィックチャネルのトラフィックスループットが、ネットワークデバイスの信号カバレッジを縮小させることなく、使用するために複数のキャリアのトラフィックチャネルと複数の共有の電力を共有することによって改善される。
【図面の簡単な説明】
【００３０】
【図１】本発明の実施形態による関連技術におけるキャリアの伝送電力の概略図である。
【００３１】
【図２】本発明の実施形態による実装環境の概略図である。
【００３２】
【図３】本発明の実施形態に係るネットワークデバイスの概略構造図である。
【００３３】
【図４】本発明の実施形態によるキャリア電力制御方法のフローチャートである。
【００３４】
【図５】本発明の実施形態による他のキャリア電力制御方法のフローチャートである。
【００３５】
【図６Ａ】本発明の実施形態による第１のタイプのキャリア電力制御装置の概略構造図である。
【００３６】
【図６Ｂ】本発明の実施形態による第２のタイプのキャリア電力制御装置の概略構造図である。
【００３７】
【図６Ｃ】本発明の実施形態による第３の設定モジュールの概略構造図である。
【００３８】
【図６Ｄ】本発明の実施形態による第３のタイプのキャリア電力制御装置の概略構造図である。
【００３９】
【図７】本発明の実施形態による第４のタイプのキャリア電力制御装置の概略構造図である。
【発明を実施するための形態】
【００４０】
本願の目的、技術的解決手段及び利点をより明確にするために、以下では、添付の図面を参照して、本願の実装を詳細にさらに説明する。
【００４１】
まず、本発明の実施形態におけるアプリケーションシナリオが説明される。
【００４２】
基地局の過度に高い電磁放射に起因する電磁放射汚染を防ぐべく、基地局の電磁放射は、通常、制限される。基地局の電磁放射はキャリアの伝送電力に関連しているので、すなわち、キャリアのより高い伝送電力がより高い電磁放射を引き起こすので、基地局は、通常、キャリアの総伝送電力を制御することによって基地局の電磁放射を制限する。
【００４３】
現在、基地局は、通常、均一な比率に基づいて、電磁放射が制限されていないときに基地局によって設定されたキャリアの伝送電力を減少させ、その結果、基地局のキャリアの総伝送電力は、電磁放射によって制限される電力より低い。しかしながら、キャリアの伝送電力が均一な比率に基づいて減少したとき、キャリアの共通チャネルの伝送電力及びキャリアのトラフィックチャネルの伝送電力の両方が、均一な比率に基づいて減少する。キャリアの共通チャネルの伝送電力の減少は、基地局のセルカバレッジを縮小させる。結果として、セル容量が減少する。キャリアのトラフィックチャネルの伝送電力の減少は、基地局のセルトラフィックスループットの減少を引き起こす。したがって、本発明の実施形態は、セルカバレッジを縮小させることなくセルトラフィックスループットを改善するキャリア電力制御方法を提供する。
【００４４】
次に、本発明の本実施形態における実装環境が説明される。
【００４５】
図２は、本発明の実施形態による実装環境の概略図である。図２を参照すると、実装環境は、ネットワークデバイス２１０及び複数の端末２２０を含み得る。ネットワークデバイス２１０は、複数のキャリアを用いることによって、１つずつ複数の端末２２０と通信してよく、ネットワークデバイス２１０は、複数のキャリアの共通チャネルによって、共通情報を複数の端末２２０に伝送し、複数のキャリアのトラフィックチャネルによって、トラフィック情報を複数の端末２２０に伝送してよい。
【００４６】
図３は、本発明の実施形態に係るネットワークデバイスの概略構造図である。ネットワークデバイスは、図２に示されるネットワークデバイス２１０であり得る。図３を参照すると、ネットワークデバイスは、少なくとも１つのプロセッサ３０１、通信バス３０２、メモリ３０３、及び少なくとも１つの通信インタフェース３０４を含む。
【００４７】
プロセッサ３０１は、本願の解決手段のプログラムの実行を制御するよう構成される中央演算処理装置（Ｃｅｎｔｒａｌ  Ｐｒｏｃｅｓｓｉｎｇ  Ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は１若しくは複数の集積回路であり得る。
【００４８】
通信バス３０２は、上述の構成要素間に情報を伝送するよう構成されるチャネルを含み得る。
【００４９】
メモリ３０３は、静的な情報及び命令を格納できるリードオンリメモリ（ｒｅａｄ−ｏｎｌｙ  ｍｅｍｏｒｙ、ＲＯＭ）若しくは他のタイプの静的なストレージデバイス、情報及び命令を格納できるランダムアクセスメモリ（ｒａｎｄｏｍ  ａｃｃｅｓｓ  ｍｅｍｏｒｙ、ＲＡＭ）若しくは他のタイプの動的なストレージデバイスであってよく、又は電気的に消去可能でプログラム可能なリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク・リードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）若しくは他の光ディスクストレージ、（コンパクトディスク、レーザディスク、光ディスク、デジタル多用途ディスク、ブルーレイディスク若しくは同様のものを含む）ディスクストレージ、磁気ディスクストレージ媒体若しくは他の磁気ディスクストレージデバイス、若しくは命令若しくはデータ構造形式で予想されるプログラムコードを搬送若しくは格納するのに用いられることができ、コンピュータによってアクセスされることができる任意の他の媒体であってよいが、本発明はこれに限定されない。メモリ３０３は独立して存在してよく、通信バス３０２を用いることによって、プロセッサ３０１に接続される。代替的に、メモリ３０３がプロセッサ３０１と統合され得る。
【００５０】
通信インタフェース３０４は、トランシーバタイプの任意の装置を用いて、他のデバイス又はイーサネット（登録商標）、無線アクセスネットワーク（Ｒａｄｉｏ  Ａｃｃｅｓｓ  Ｎｅｔｗｏｒｋ、ＲＡＮ）若しくは無線ローカルエリアネットワーク（Ｗｉｒｅｌｅｓｓ  Ｌｏｃａｌ  Ａｒｅａ  Ｎｅｔｗｏｒｋｓ、ＷＬＡＮ）のような通信ネットワークと通信する。
【００５１】
特定の実装中、実施形態として、プロセッサ３０１は、１又は複数のＣＰＵ、例えば、図３に示されるＣＰＵ０及びＣＰＵ１を含み得る。
【００５２】
特定の実装中、実施形態として、ネットワークデバイスは、複数のプロセッサ、例えば、図３に示されるプロセッサ３０１及びプロセッサ３０５を含み得る。これらのプロセッサのそれぞれは、単一コアプロセッサ（ｓｉｎｇｌｅ−ＣＰＵ）であってよく、又はマルチコアプロセッサ（ｍｕｌｔｉ−ＣＰＵ）であってよい。本明細書において、プロセッサは、データ（例えば、コンピュータプログラム命令）を処理するよう構成される１又は複数のデバイス、回路及び／又は処理コアであり得る。
【００５３】
ネットワークデバイスは、共通ネットワークデバイス又は専用ネットワークデバイスであり得る。特定の実装中、ネットワークデバイスは、基地局、基地局コントローラ及び同様のものであってよく、本発明の実施形態は、ネットワークデバイスのタイプを限定しない。
【００５４】
メモリ３０３は、本願の解決手段を実行するのに用いられるプログラムコード３１０を格納するよう構成され、プロセッサ３０１は、メモリ３０３に格納されるプログラムコード３１０を実行するよう構成される。ネットワークデバイスは、プロセッサ３０１及びメモリ３０３内のプログラムコード３１０によって、以下の図４の実施形態又は図５の実施形態によって提供されるキャリア電力制御方法を実装し得る。
【００５５】
図４は、本発明の実施形態によるキャリア電力制御方法のフローチャートである。方法はネットワークデバイスに適用され、ネットワークデバイスは、図３に示されるネットワークデバイスであり得る。図４を参照すると、方法は、以下の段階を含む。
【００５６】
段階４０１：ネットワークデバイスの信号カバレッジに基づいて、伝送されるべき複数のキャリアの共通チャネルの最大伝送電力を設定する。
【００５７】
ネットワークデバイスの信号カバレッジは、ネットワークデバイスが信号を伝送するときにネットワークデバイスが達すると予想するカバレッジであり、ネットワークデバイスの信号カバレッジがネットワークデバイスによって予め計画され得ることに留意されたい。例えば、ネットワークデバイスが基地局であるとき、ネットワークデバイスの信号カバレッジは、基地局のセルカバレッジであり得る。
【００５８】
加えて、伝送されるべき複数のキャリアが、ネットワークデバイスが複数の端末と通信するときに、ネットワークデバイス及び複数の端末によって用いられるキャリアであり、複数のキャリアは、異なる規格及び／又は異なる周波数帯のキャリアを含み得る。例えば、複数のキャリアは、ロングタームエボリューション（Ｌｏｎｇ  Ｔｅｒｍ  Ｅｖｏｌｕｔｉｏｎ、ＬＴＥ）キャリア、移動体通信用のグローバルシステム（Ｇｌｏｂａｌ  Ｓｙｓｔｅｍ  ｆｏｒ  Ｍｏｂｉｌｅ  ｃｏｍｍｕｎｉｃａｔｉｏｎｓ、ＧＳＭ（登録商標））キャリア、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）キャリア及び同様のもの、並びに／又は１９００〜１９２０メガヘルツ（ＭＨｚ）キャリア、２０１０〜２０２５ＭＨｚキャリア、１９３０〜１９９０ＭＨｚキャリア及び同様のもののような異なる周波数帯のキャリアのような、異なる規格のキャリアを含み得る。
【００５９】
具体的には、対応する伝送電力が、ネットワークデバイスの信号カバレッジに基づいて、信号カバレッジと伝送電力との間の格納された対応関係から取得されてよく、取得された伝送電力が、複数のキャリアの共通チャネルの最大伝送電力として決定される。確かに、複数のキャリアの共通チャネルの最大伝送電力は、代替的に、ネットワークデバイスの信号カバレッジに基づいて、他の方法で決定され得る。これは、本発明の本実施形態において限定されることはない。
【００６０】
例えば、ネットワークデバイスの信号カバレッジが５００メートルであり、対応する伝送電力、すなわち、０．５ワット（Ｗ）が、ネットワークデバイスの信号カバレッジ、すなわち、５００メートル、に基づいて、以下の表１に示される、信号カバレッジと伝送電力との間の対応関係から、取得されてよく、取得された伝送電力、すなわち、０．５Ｗが、複数のキャリアの共通チャネルの最大伝送電力として決定される。
［表１］
【表１】
0006900625.tif 000002
【００６１】
本発明の本実施形態において、表１に示される信号カバレッジと伝送電力との間の対応関係が説明のための例として用いられるに過ぎないこと、表１は本発明の本実施形態に対する制限を構成しないことに留意されたい。
【００６２】
複数のキャリアの共通チャネルの最大伝送電力がネットワークデバイスの信号カバレッジに基づいて設定された後、ネットワークデバイスが、複数のキャリアの共通チャネルの最大伝送電力で複数のキャリアの共通チャネルを伝送し得ることに留意されたい。この場合、複数のキャリアの共通チャネルのカバレッジが、ネットワークデバイスによって予め計画された信号カバレッジに達することができ、ネットワークデバイスの信号カバレッジが縮小しないことを保証する。
【００６３】
段階４０２：ネットワークデバイスの総信号伝送電力及び複数のキャリアの共通チャネルの最大伝送電力に基づいて、複数のキャリアのトラフィックチャネルの最大伝送電力を設定する。
【００６４】
キャリアが共通チャネル及びトラフィックチャネルを含むので、後の複数のキャリアの伝送をしやすくするために、複数のキャリアの共通チャネルの最大伝送電力が設定された後、複数のキャリアのトラフィックチャネルの最大伝送電力が、複数のキャリアの共通チャネルの最大伝送電力に基づいて設定され得る。
【００６５】
ネットワークデバイスの総信号伝送電力は、電磁放射がネットワークデバイスによって制限されていないとき、ネットワークデバイスが提供できる最大電力であってよく、電磁放射がネットワークデバイスによって制限されるとき、電磁放射によって制限される電力であってよいことに留意されたい。すなわち、ネットワークデバイスの総信号伝送電力が、ネットワークデバイスの電磁放射の制限要件に基づいて決定され得る。これは、本発明の本実施形態において限定されることはない。
【００６６】
具体的には、総トラフィック伝送電力が、ネットワークデバイスの総信号伝送電力から複数のキャリアの共通チャネルの最大伝送電力を引くことによって取得されてよく、複数のキャリアのトラフィックチャネルの最大伝送電力を取得すべく、総トラフィック伝送電力が複数のキャリアのトラフィックチャネルに対して設定される。確かに、複数のキャリアのトラフィックチャネルの最大伝送電力は、代替的に、ネットワークデバイスの総信号伝送電力及び複数のキャリアの共通チャネルの最大伝送電力に基づいて、他の方法で設定され得る。これは、本発明の本実施形態において限定されることはない。
【００６７】
複数のキャリアのトラフィックチャネルの最大伝送電力を取得すべく、総トラフィック伝送電力が複数のキャリアのトラフィックチャネルに対して設定されるとき、複数のキャリアのトラフィックチャネルの最大伝送電力を取得すべく、総トラフィック伝送電力が複数のキャリアのトラフィックチャネルに平等に割り当てられ得る。代替的に、複数のキャリアのトラフィックチャネルの最大伝送電力を取得すべく、総トラフィック伝送電力が、複数のキャリアのトラフィックチャネルの電力構成比率に基づいて、複数のキャリアのトラフィックチャネルに割り当てられ得る。確かに、複数のキャリアのトラフィックチャネルの最大伝送電力を取得すべく、総トラフィック伝送電力は、代替的に、他の方法で複数のキャリアのトラフィックチャネルに割り当てられ得る。これは、本発明の本実施形態において限定されることはない。
【００６８】
トラフィックチャネルの電力構成比率が、トラフィックチャネルによって必要とされる伝送電力のサイズを示すのに用いられることに留意されたい。言い換えれば、トラフィックチャネルの電力構成比率が大きくなるほど、トラフィックチャネルのトラフィック性能に対する要求が大きくなって、トラフィックチャネルによって必要とされる伝送電力が大きくなることを示し、トラフィックチャネルの電力構成比率が小さくなるほど、トラフィックチャネルのトラフィック性能に対する要求が小さくなって、トラフィックチャネルによって必要とされる伝送電力が小さくなることを示す。複数のキャリアのトラフィックチャネルの電力構成比率が予め設定され得る。これは、本発明の本実施形態において限定されることはない。
【００６９】
例えば、総トラフィック伝送電力が３Ｗであり、複数のキャリアのトラフィックチャネルはトラフィックチャネル１及びトラフィックチャネル２を含む。総トラフィック伝送電力、すなわち、３Ｗが、複数のキャリアのトラフィックチャネルに平等に割り当てられてよく、トラフィックチャネル１及びトラフィックチャネル２の取得される最大伝送電力は、両方とも１．５Ｗである。
【００７０】
他の例では、総トラフィック伝送電力が３Ｗであり、複数のキャリアのトラフィックチャネルは、トラフィックチャネル１及びトラフィックチャネル２を含み、トラフィックチャネル１及びトラフィックチャネル２の電力構成比率は、それぞれ２／３及び１／３である。総トラフィック伝送電力は、複数のキャリアのトラフィックチャネルの電力構成比率に基づいて複数のキャリアのトラフィックチャネルに割り当てられてよく、トラフィックチャネル１及びトラフィックチャネル２の取得される最大伝送電力は、それぞれ２Ｗ及び１Ｗである。
【００７１】
さらに、共通チャネル及び複数のキャリアのトラフィックチャネルの最大伝送電力が段階４０１及び段階４０２で設定された後の第１のスケジューリング期間において、ネットワークデバイスは、共通チャネル及び複数のキャリアのトラフィックチャネルの最大伝送電力に基づいて、第１のスケジューリング期間における複数のキャリアを伝送し得る。
【００７２】
具体的には、複数のキャリアの共通チャネルにおける共通チャネルごとに、共通チャネルが、共通チャネルの最大伝送電力で伝送されてよく、複数のキャリアのトラフィックチャネルにおけるトラフィックチャネルごとに、トラフィックチャネルによって必要とされる伝送電力が、トラフィックチャネルによって搬送されるトラフィックデータ量に基づいて決定される。トラフィックチャネルによって必要とされる伝送電力が、トラフィックチャネルの最大伝送電力より低いとき、トラフィックチャネルが、トラフィックチャネルによって必要とされる伝送電力で伝送され、トラフィックチャネルによって必要とされる伝送電力が、トラフィックチャネルの最大伝送電力より低くないとき、トラフィックチャネルが、トラフィックチャネルの最大伝送電力で伝送される。確かに、複数のキャリアが、代替的に、第１のスケジューリング期間における共通チャネル及び複数のキャリアのトラフィックチャネルの実際の伝送電力が、第１のスケジューリング期間における共通チャネル及び複数のキャリアのトラフィックチャネルの最大伝送電力より大きくないという条件で、共通チャネル及び複数のキャリアのトラフィックチャネルの最大伝送電力に基づいて、他の方法で第１のスケジューリング期間において伝送され得る。
【００７３】
トラフィックチャネルによって必要とされる伝送電力が、トラフィックチャネルによって搬送されるトラフィックデータ量に基づいて決定されるとき、対応する伝送電力が、トラフィックチャネルによって搬送されるトラフィックデータ量に基づいて、トラフィックデータ量と伝送電力との間の格納された対応関係から取得されてよく、
取得された伝送電力が、トラフィックチャネルによって必要とされる伝送電力として決定される。確かに、トラフィックチャネルによって必要とされる伝送電力は、代替的に、トラフィックチャネルによって搬送されるトラフィックデータ量に基づいて、他の方法で決定され得る。これは、本発明の本実施形態において限定されることはない。
【００７４】
例えば、トラフィックチャネルによって搬送されるトラフィックデータ量は、５０ビット（ｂｉｔ）である。対応する伝送電力、すなわち、０．１Ｗが、トラフィックチャネルによって搬送されるトラフィックデータ量、すなわち、５０ビットに基づいて、以下の表２に示される、トラフィックデータ量と伝送電力との間の対応関係から取得されてよく、取得された伝送電力、すなわち０．１Ｗが、トラフィックチャネルによって必要とされる伝送電力として決定される。
［表２］
【表２】
0006900625.tif 000003
【００７５】
本発明の本実施形態において、表２に示されるトラフィックデータ量と伝送電力との間の対応関係が説明のための例として用いられるに過ぎないこと、表２は本発明の本実施形態に対する制限を構成しないことに留意されたい。
【００７６】
さらに、複数のキャリアが第１のスケジューリング期間で伝送された後、第２のスケジューリング期間における複数のキャリアのトラフィックチャネルの共有の伝送電力がさらに決定されてよく、その結果、複数のキャリアは、その後、第２のスケジューリング期間における複数のキャリアのトラフィックチャネルの共有の伝送電力に基づいて、第２のスケジューリング期間で伝送され得る。具体的には、第１のスケジューリング期間における複数のキャリアのトラフィックチャネルの実際の伝送電力が決定されてよく、第１のスケジューリング期間の複数の共有のトラフィック電力が、複数のキャリアのトラフィックチャネルの最大伝送電力及び第１のスケジューリング期間における複数のキャリアのトラフィックチャネルの実際の伝送電力に基づいて決定されて、第２のスケジューリング期間における複数のキャリアのトラフィックチャネルの共有の伝送電力を取得すべく、第１のスケジューリング期間の複数の共有のトラフィック電力が複数のキャリアのトラフィックチャネルに対して設定される。
【００７７】
複数のキャリアにおけるキャリアごとに、キャリアのトラフィックチャネルの最大伝送電力から第１のスケジューリング期間におけるキャリアのトラフィックチャネルの実際の伝送電力を引くことによって取得された電力が、第１のスケジューリング期間における共有のトラフィック電力として決定され得る。代替的に、キャリアのトラフィックチャネルの最大伝送電力から第１のスケジューリング期間におけるキャリアのトラフィックチャネルの実際の伝送電力を引くことによって取得された電力が、予め設定した電力より大きいとき、取得された電力が、第１のスケジューリング期間における共有のトラフィック電力として決定され得る。
【００７８】
予め設定した電力が予め設定され得ることに留意されたい。例えば、予め設定した電力は、０．１Ｗ、０．２Ｗ、又は同様のものであり得る。
【００７９】
加えて，キャリアのトラフィックチャネルの最大伝送電力から第１のスケジューリング期間におけるキャリアのトラフィックチャネルの実際の伝送電力を引くことによって取得された電力が、第１のスケジューリング期間における共有のトラフィック電力として決定される。すなわち、キャリアのトラフィックチャネルに対して設定されるが、第１のスケジューリング期間におけるキャリアのトラフィックチャネルによって用いられない全ての電力が、第１のスケジューリング期間における共有のトラフィック電力として決定される。キャリアのトラフィックチャネルの最大伝送電力から第１のスケジューリング期間におけるキャリアのトラフィックチャネルの実際の伝送電力を引くことによって取得される電力が、予め設定した電力より大きいとき、取得された電力が、第１のスケジューリング期間における共有のトラフィック電力として決定される。すなわち、第１のスケジューリング期間におけるキャリアのトラフィックチャネルによって用いられる実際の電力と、キャリアのトラフィックチャネルに対して設定された電力との間に比較的大きい差が存在するときにのみ、第１のスケジューリング期間におけるキャリアのトラフィックチャネルによって用いられない全ての電力が、第１のスケジューリング期間の共有のトラフィック電力として決定され、共有のトラフィック電力が、他のキャリアのトラフィックチャネルと後に共有されるときに、キャリアのトラフィックチャネルの正常な伝送が影響を受けないことを保証する。
【００８０】
第２のスケジューリング期間における複数のキャリアのトラフィックチャネルの共有の伝送電力を取得すべく、第１のスケジューリング期間における複数の共有のトラフィック電力が、複数のキャリアのトラフィックチャネルに対して設定されるとき、複数のターゲットトラフィックチャネルが、複数のキャリアのトラフィックチャネル内で決定されてよく、第２のスケジューリング期間における複数のターゲットトラフィックチャネルの共有の伝送電力を取得すべく、第１のスケジューリング期間における複数の共有のトラフィック電力が、複数のターゲットトラフィックチャネルに対して設定される。確かに、第２のスケジューリング期間における複数のキャリアのトラフィックチャネルの共有の伝送電力を取得すべく、第１のスケジューリング期間における複数の共有のトラフィック伝送電力が、代替的に、他の方法で複数のキャリアのトラフィックチャネルに対して設定され得る。これは、本発明の本実施形態において限定されることはない。
【００８１】
第１のスケジューリング期間における複数の共有のトラフィック伝送電力を複数のキャリアのトラフィックチャネルに対して設定することは、使用するために複数のキャリアのトラフィックチャネルと第１のスケジューリング期間における複数の共有のトラフィック伝送電力を共有することであることに留意されたい。この場合、それぞれのトラフィックチャネルの共有の伝送電力は、それぞれのトラフィックチャネルの最大伝送電力及び共有のトラフィック電力を含む。
【００８２】
加えて、ターゲットトラフィックチャネルは、トラフィック性能が改善される必要があるチャネル、すなわち、比較的低いトラフィック性能を有するチャネルであり得る。例えば、ターゲットトラフィックチャネルは、予め設定した次数より低い変調次数を有するチャネル、予め設定したデータ量より大きいトラフィックデータ量を搬送するチャネル、予め設定した回数より多いトラフィックデータ再伝送回数を有するチャネル、予め設定した比率より低い信号対雑音比を有するチャネル、又は同様のものであり得る。これは、本発明の本実施形態において限定されることはない。
【００８３】
さらに、予め設定した次数、予め設定したデータ量、予め設定した回数、及び予め設定した比率が全て予め設定され得る。これは、本発明の本実施形態において限定されることはない。
【００８４】
第１のスケジューリング期間における複数の共有のトラフィック電力が、複数のターゲットトラフィックチャネルに対して設定されるとき、第１のスケジューリング期間における複数の共有のトラフィック電力が、複数のターゲットトラフィックチャネルに平等に割り当てられ得る。代替的に、第１のスケジューリング期間における複数の共有のトラフィック電力が、複数のターゲットトラフィックチャネルの電力構成比率に基づいて、複数のターゲットトラフィックチャネルに対して設定され得る。確かに、第１のスケジューリング期間における複数の共有のトラフィック伝送電力が、代替的に、他の方法で複数のターゲットトラフィックチャネルに対して設定され得る。これは、本発明の本実施形態において限定されることはない。
【００８５】
第２のスケジューリング期間における複数のキャリアのトラフィックチャネルの共有の伝送電力が上述の工程によって取得された後、電力制御及び伝送が、以下の段階４０３から段階４０６に基づいて、第１のスケジューリング期間後のそれぞれスケジューリング期間において、複数のキャリア上で実行され得ることに留意されたい。
【００８６】
段階４０３：スケジューリング期間ごとに、複数のキャリアの共通チャネルの最大伝送電力と、複数のキャリアのトラフィックチャネルの最大伝送電力と、スケジューリング期間における複数のキャリアのトラフィックチャネルの共有の伝送電力とに基づいて、スケジューリング期間における複数のキャリアを伝送する。
【００８７】
具体的には、複数のキャリアの共通チャネルにおける共通チャネルごとに、共通チャネルが、共通チャネルの最大伝送電力で伝送され、複数のキャリアのトラフィックチャネルにおけるトラフィックチャネルごとに、トラフィックチャネルによって必要とされる伝送電力が、トラフィックチャネルによって搬送されるトラフィックデータ量に基づいて決定される。トラフィックチャネルによって必要とされる伝送電力が、トラフィックチャネルの最大伝送電力より低いとき、トラフィックチャネルが、トラフィックチャネルによって必要とされる伝送電力で伝送される。トラフィックチャネルによって必要とされる伝送電力が、トラフィックチャネルの最大伝送電力より低くなくて、かつ、スケジューリング期間におけるトラフィックチャネルの共有の伝送電力より低いとき、スケジューリング期間におけるトラフィックチャネルの共有の伝送電力に含まれる共有のトラフィック電力が用いられない場合、トラフィックチャネルが、トラフィックチャネルによって必要とされる伝送電力で伝送され、スケジューリング期間におけるトラフィックチャネルの共有の伝送電力に含まれる共有のトラフィック電力が用いられる場合、トラフィックチャネルが、トラフィックチャネルの最大伝送電力で伝送される。トラフィックチャネルによって必要とされる伝送電力が、スケジューリング期間におけるトラフィックチャネルの共有の伝送電力より低くないとき、スケジューリング期間におけるトラフィックチャネルの共有の伝送電力に含まれる共有のトラフィック電力が用いられない場合、トラフィックチャネルが、スケジューリング期間におけるトラフィックチャネルの共有の伝送電力で伝送され、スケジューリング期間におけるトラフィックチャネルの共有の伝送電力に含まれる共有のトラフィック電力が用いられる場合、トラフィックチャネルが、トラフィックチャネルの最大伝送電力で伝送される。確かに、複数のキャリアが、代替的に、スケジューリング期間における複数のキャリアの共通チャネルの実際の伝送電力が、スケジューリング期間における複数のキャリアの共通チャネルの最大伝送電力より大きくなく、かつ、スケジューリング期間における複数のキャリアのトラフィックチャネルの実際の伝送電力が、複数のキャリアのトラフィックチャネルの最大伝送電力又はスケジューリング期間における複数のキャリアのトラフィックチャネルの共有の伝送電力より大きくない、という条件で、複数のキャリアの共通チャネルの最大伝送電力と、複数のキャリアのトラフィックチャネルの最大伝送電力と、スケジューリング期間における複数のキャリアのトラフィックチャネルの共有の伝送電力とに基づいて、他の方法でスケジューリング期間において伝送され得る。
【００８８】
トラフィックチャネルによって搬送されるトラフィックデータ量に基づいてトラフィックチャネルによって必要とされる伝送電力を決定する工程が、トラフィックチャネルによって搬送されるトラフィックデータ量に基づいてトラフィックチャネルによって必要とされる伝送電力を決定する段階４０２における工程と同一であり、これは本発明の本実施形態において再び詳細には説明されない。
【００８９】
段階４０４：スケジューリング期間における複数のキャリアのトラフィックチャネルの実際の伝送電力を決定する。
【００９０】
段階４０５：複数のキャリアのトラフィックチャネルの最大伝送電力及びスケジューリング期間における複数のキャリアのトラフィックチャネルの実際の伝送電力に基づいて、スケジューリング期間の複数の共有のトラフィック電力を決定する。具体的には、段階４０５は、第１のスケジューリング期間の複数の共有のトラフィック電力が、複数のキャリアのトラフィックチャネルの最大伝送電力及び第１のスケジューリング期間における複数のキャリアのトラフィックチャネルの実際の伝送電力に基づいて決定される、段階４０２における工程と同様であり、これは本発明の本実施形態において再び詳細には説明されない。
【００９１】
段階４０６：スケジューリング期間に対する次のスケジューリング期間における複数のキャリアのトラフィックチャネルの共有の伝送電力を取得すべく、複数のキャリアのトラフィックチャネルに対するスケジューリング期間の複数の共有のトラフィック電力を設定する。
【００９２】
具体的には、段階４０６は、第２のスケジューリング期間における複数のキャリアのトラフィックチャネルの共有の伝送電力を取得すべく、第１のスケジューリング期間における複数の共有のトラフィック電力が、他の方法で複数のキャリアのトラフィックチャネルに対して設定される段階４０２における工程と同様であり、これは本発明の本実施形態において再び詳細には説明されない。
【００９３】
本発明の本実施形態において、総信号伝送電力が変化しない状態が維持されるとき、複数のキャリアの共通チャネルの最大伝送電力を減少させることなく、すなわち、ネットワークデバイスの信号カバレッジを縮小させることなく、複数のキャリアのトラフィックチャネルのトラフィックスループットが、使用するために複数のキャリアのトラフィックチャネルと複数の共有の電力を共有することによって改善されることに留意されたい。
【００９４】
本発明の本実施形態において、複数の共有のトラフィック電力が使用するために複数のキャリアのトラフィックチャネルと共有され得るだけでなく、複数のキャリアにおけるそれぞれのキャリアのＲＢの数及びトラフィックチャネルの電力スペクトル密度が、複数のキャリアにおけるそれぞれキャリアのトラフィックチャネルのトラフィックスループットを改善するようそれぞれ調整され得ることに留意されたい。具体的には、複数のキャリアにおけるキャリアごとに、キャリアが近い位置の端末と通信するキャリアであるとき、キャリアのトラフィックチャネルの最大伝送電力が変化しない状態が維持され、キャリアのトラフィックチャネルによって占有されるＲＢの数が増加し、キャリアのトラフィックチャネルの電力スペクトル密度が減少する。キャリアが遠い位置の端末と通信するキャリアであるとき、キャリアのトラフィックチャネルの最大伝送電力が変化しない状態が維持され、キャリアのトラフィックチャネルによって占有されるＲＢの数が減少し、キャリアのトラフィックチャネルの電力スペクトル密度が増加する。
【００９５】
近い位置の端末とネットワークデバイスとの間の距離は、予め設定した距離より短く、遠い位置の端末とネットワークデバイスとの間の距離は、予め設定した距離より短くないことに留意されたい。すなわち、近い位置の端末はネットワークデバイスに比較的近い端末であり、遠い位置の端末はネットワークデバイスから比較的遠い端末である。
【００９６】
加えて、予め設定した距離が予め設定され得る。例えば、予め設定した距離は、２００メートル、２５０メートル又は同様のものであり得る。
【００９７】
近い位置の端末の帯域幅は、通常、制限されている。したがって、近い位置の端末と通信するキャリアのトラフィックチャネルによって占有されるＲＢの数を増加させることによって、すなわち、近い位置の端末の利用可能な帯域幅を増加させることによって改善され得る伝送レートは、キャリアのトラフィックチャネルの電力スペクトル密度を減少させることによって減少する伝送レートより大きく、その結果、キャリアのトラフィックチャネルの伝送レートが増加して、それにより、キャリアのトラフィックチャネルのトラフィックスループットを改善する。遠い位置の端末の電力は、通常、制限されている。したがって、遠い位置の端末と通信するキャリアのトラフィックチャネルの電力スペクトル密度を増加させることによって、すなわち、遠い位置の端末の利用可能な電力を増加させることによって改善され得る伝送レートは、キャリアのトラフィックチャネルによって占有されるＲＢの数を減少させることによって減少する伝送レートより大きく、その結果、キャリアのトラフィックチャネルの伝送レートが増加して、それにより、キャリアのトラフィックチャネルのトラフィックスループットを改善する。言い換えれば、本発明の本実施形態において、電力リソース及びスペクトルリソースを動的に調整することによって、キャリアのトラフィックチャネルの最大伝送電力が変化しない状態を維持するときに、キャリアのトラフィックチャネルのトラフィックスループットが改善され得る。
【００９８】
キャリアのトラフィックチャネルの最大伝送電力が変化しない状態が維持され、キャリアのトラフィックチャネルによって占有されるＲＢの数が増加し、キャリアのトラフィックチャネルの電力スペクトル密度が減少する。この方法で、キャリアによって占有され得るＲＢの最大数が決定されてよく、キャリアによって占有されるＲＢの数がＲＢの最大数まで増加する。その後、キャリアのトラフィックチャネルの電力スペクトル密度を取得すべく、キャリアのトラフィックチャネルの最大伝送電力がトラフィックチャネルによって占有されるＲＢの数に対応する帯域幅で分割され、それにより、キャリアのトラフィックチャネルの電力スペクトル密度を減少させる。確かに、キャリアのトラフィックチャネルの最大伝送電力が変化しない状態が維持されるとき、キャリアのトラフィックチャネルによって占有されるＲＢの数及びキャリアのトラフィックチャネルの電力スペクトル密度が、さらに、他の方法でそれぞれ増加及び減少してよく、これは、本発明の本実施形態において限定されることはない。
【００９９】
キャリアによって占有され得るＲＢの最大数がキャリアの規格に基づいて決定されるとき、ＲＢの対応する最大数が規格とＲＢの最大数との間の格納された対応関係から取得されてよく、取得されたＲＢの最大数が、キャリアによって占有され得るＲＢの最大数として決定される。確かに、キャリアによって占有されるＲＢの最大数が、代替的に、他の方法で決定されてよく、これは、本発明の本実施形態において限定されることはない。
【０１００】
例えば、キャリアの規格はＬＴＥである。キャリアの規格ＬＴＥに基づいて、以下の表３に示される規格とＲＢの最大数との間の対応関係から、ＲＢの最大数が１００として取得されてよく、取得されたＲＢの最大数、すなわち、１００が、キャリアによって占有され得るＲＢの最大数として決定される。
［表３］
【表３】
0006900625.tif 000004
【０１０１】
本発明の本実施形態において、表３に示される規格とＲＢの最大数との間の対応関係が説明のための例として用いられるに過ぎないこと、表３は、本発明の本実施形態に対する制限を構成しないことに留意されたい。
【０１０２】
キャリアのトラフィックチャネルの最大伝送電力が変化しない状態が維持され、キャリアのトラフィックチャネルによって占有されるＲＢの数が減少し、キャリアのトラフィックチャネルの電力スペクトル密度が増加する。この場合、キャリアのトラフィックチャネルが占有する必要があるＲＢの最小数が決定されてよく、キャリアによって占有されるＲＢの数がＲＢの最小数まで減少する。その後、キャリアのトラフィックチャネルの電力スペクトル密度を取得すべく、キャリアのトラフィックチャネルの最大伝送電力がトラフィックチャネルによって占有されるＲＢの数に対応する帯域幅で分割され、キャリアのトラフィックチャネルの電力スペクトル密度を増加させる。確かに、キャリアのトラフィックチャネルの最大伝送電力が変化しない状態が維持されるとき、キャリアのトラフィックチャネルによって占有されるＲＢの数及びキャリアのトラフィックチャネルの電力スペクトル密度が、さらに、他の方法でそれぞれ減少及び増加してよく、これは、本発明の本実施形態において限定されることはない。
【０１０３】
キャリアが占有する必要があるＲＢの最小数がキャリアの規格に基づいて決定されるとき、ＲＢの対応する最小数が規格とＲＢの最小数との間の格納された対応関係から取得されてよく、ＲＢの取得された最小数が、キャリアが占有する必要があるＲＢの最小数として決定される。確かに、キャリアが占有する必要があるＲＢの最小数が、代替的に、他の方法で決定されてよく、これは、本発明の本実施形態において限定されることはない。
【０１０４】
例えば、キャリアの規格はＬＴＥである。キャリアの規格ＬＴＥに基づいて、表４に示される規格とＲＢの最小数との間の対応関係から、ＲＢの対応する最小数が５０として取得されてよく、取得されたＲＢの最小数、すなわち、５０が、キャリアが占有する必要があるＲＢの最小数として決定される。
【０１０５】
本発明の本実施形態において、表４に示される規格とＲＢの最小数との間の対応関係が説明のための例として用いられるに過ぎないこと、表４は本発明の本実施形態に対する制限を構成しないことに留意されたい。
【０１０６】
本発明の本実施形態において、まず、伝送されるべき複数のキャリアの共通チャネルの最大伝送電力が、ネットワークデバイスの信号カバレッジに基づいて設定されて、ネットワークデバイスの信号カバレッジが縮小しないことを保証する。そして、複数のキャリアのトラフィックチャネルの最大伝送電力が、ネットワークデバイスの総信号伝送電力及び複数のキャリアの共通チャネルの最大伝送電力に基づいて設定される。スケジューリング期間ごとに、スケジューリング期間より以前のスケジューリング期間の複数の共有のトラフィック電力が、複数のキャリアのトラフィックチャネルの最大伝送電力及び以前のスケジューリング期間における複数のキャリアのトラフィックチャネルの実際の伝送電力に基づいて決定され、スケジューリング期間における複数のキャリアのトラフィックチャネルの共有の伝送電力を取得すべく、以前のスケジューリング期間の複数の共有のトラフィック電力が、複数のキャリアのトラフィックチャネルに対して設定される。その後、複数のキャリアが、複数のキャリアの共通チャネルの最大伝送電力と、複数のキャリアのトラフィックチャネルの最大伝送電力と、スケジューリング期間における複数のキャリアのトラフィックチャネルの共有の伝送電力とに基づいて、スケジューリング期間において伝送され、その結果、複数のキャリアのトラフィックチャネルのトラフィックスループットが、ネットワークデバイスの信号カバレッジを縮小させることなく、使用するために複数のキャリアのトラフィックチャネルの複数の共有の電力を共有することによって改善される。
【０１０７】
図５は、本発明の実施形態によるキャリア電力制御方法のフローチャートである。方法はネットワークデバイスに適用され、ネットワークデバイスは、図３に示されるネットワークデバイスであり得る。図５を参照すると、方法は、以下の段階を含む。
【０１０８】
段階５０１：ネットワークデバイスの信号カバレッジに基づいて、伝送されるべき複数のキャリアの共通チャネルの最大伝送電力を設定する。
【０１０９】
具体的には、段階５０１の工程は段階４０１の工程と同一であり、これは本発明の本実施形態において再び詳細には説明されない。
【０１１０】
段階５０２：ネットワークデバイスの総信号伝送電力及び複数のキャリアの共通チャネルの最大伝送電力に基づいて、複数のキャリアのトラフィックチャネルの最大伝送電力を設定する。
【０１１１】
具体的には、段階５０２の工程は段階４０２の工程と同一であり、これは本発明の本実施形態において再び詳細には説明されない。
【０１１２】
段階５０３：複数のキャリアにおけるキャリアごとに、キャリアが、近い位置の端末と通信するキャリアであるか、遠い位置の端末と通信するキャリアであるかを決定する。
【０１１３】
近い位置の端末とネットワークデバイスとの間の距離は、予め設定した距離より短く、遠い位置の端末とネットワークデバイスとの間の距離は、予め設定した距離より短くないことに留意されたい。すなわち、近い位置の端末はネットワークデバイスに比較的近い端末であり、遠い位置の端末はネットワークデバイスから比較的遠い端末である。
【０１１４】
加えて、予め設定した距離が予め設定され得る。例えば、予め設定した距離は、２００メートル、２５０メートル又は同様のものであり得る。
【０１１５】
段階５０４：キャリアが近い位置の端末と通信するキャリアであるとき、キャリアのトラフィックチャネルの最大伝送電力が変化しない状態を維持し、キャリアのトラフィックチャネルによって占有されるＲＢの数を増加させ、キャリアのトラフィックチャネルの電力スペクトル密度を減少させる。
【０１１６】
近い位置の端末の帯域幅は、通常、制限されている。したがって、近い位置の端末と通信するキャリアのトラフィックチャネルによって占有されるＲＢの数を増加させることによって、すなわち、近い位置の端末の利用可能な帯域幅を増加させることによって改善され得る伝送レートは、トラフィックチャネルの電力スペクトル密度を減少させることによって減少する伝送レートより大きく、その結果、キャリアのトラフィックチャネルの伝送レートが増加して、それにより、キャリアのトラフィックチャネルのトラフィックスループットを改善する。
【０１１７】
具体的には、段階５０４は、キャリアが近い位置の端末と通信するキャリアであるとき、キャリアのトラフィックチャネルの最大伝送電力が変化しない状態が維持され、キャリアのトラフィックチャネルによって占有されるＲＢの数が増加し、キャリアのトラフィックチャネルの電力スペクトル密度が減少する段階４０６における工程と同一であり、これは本発明の本実施形態において再び詳細には説明されない。
【０１１８】
段階５０５：キャリアが遠い位置の端末と通信するキャリアであるとき、キャリアのトラフィックチャネルの最大伝送電力が変化しない状態を維持し、キャリアのトラフィックチャネルによって占有されるＲＢの数を減少させ、キャリアのトラフィックチャネルの電力スペクトル密度を増加させる。
【０１１９】
遠い位置の端末の電力は、通常、制限されている。したがって、遠い位置の端末と通信するキャリアのトラフィックチャネルの電力スペクトル密度を増加させることによって、すなわち、遠い位置の端末の利用可能な電力を増加させることによって改善され得る伝送レートは、キャリアのトラフィックチャネルによって占有されるＲＢの数を減少させることによって減少する伝送レートより大きく、その結果、キャリアのトラフィックチャネルの伝送レートが増加して、それにより、キャリアのトラフィックチャネルのトラフィックスループットを改善する。
【０１２０】
具体的には、段階５０５は、キャリアが遠い位置の端末と通信するキャリアであるとき、キャリアのトラフィックチャネルの最大伝送電力が変化しない状態が維持され、キャリアのトラフィックチャネルによって占有されるＲＢの数が減少し、キャリアのトラフィックチャネルの電力スペクトル密度が増加する段階４０６における工程と同一であり、これは本発明の本実施形態において再び詳細には説明されない。
【０１２１】
本発明の本実施形態において、まず、伝送されるべき複数のキャリアの共通チャネルの最大伝送電力が、ネットワークデバイスの信号カバレッジに基づいて設定されて、ネットワークデバイスの信号カバレッジが縮小しないことを保証する。そして、複数のキャリアのトラフィックチャネルの最大伝送電力が、ネットワークデバイスの総信号伝送電力及び複数のキャリアの共通チャネルの最大伝送電力に基づいて設定される。その後、複数のキャリアにおけるキャリアごとに、キャリアが近い位置の端末と通信するキャリアであるとき、キャリアのトラフィックチャネルの最大伝送電力が変化しない状態が維持され、キャリアのトラフィックチャネルによって占有されるＲＢの数が増加し、キャリアのトラフィックチャネルの電力スペクトル密度が減少する。キャリアが遠い位置の端末と通信するキャリアであるとき、キャリアのトラフィックチャネルの最大伝送電力が変化しない状態が維持され、キャリアのトラフィックチャネルによって占有されるＲＢの数が減少し、キャリアのトラフィックチャネルの電力スペクトル密度が増加する。その結果、キャリアのトラフィックチャネルの最大伝送電力が変化しない状態を維持するときに、キャリアのトラフィックチャネルのトラフィックスループットが、ネットワークデバイスの信号カバレッジを縮小させることなく、電力リソース及びスペクトルリソースを動的に調整することによって改善される。
【０１２２】
図６Ａは、本発明の実施形態によるキャリア電力制御装置の概略構造図である。キャリア電力制御装置がネットワークデバイスに適用され、ソフトウェア、ハードウェア、又はこれらの組み合わせを用いることによって、ネットワークデバイスの一部又は全部であり得る。ネットワークデバイスは、図３に示されるネットワークデバイスであり得る。キャリア電力制御装置は、機能モジュールの形態で示され得る。この場合、キャリア電力制御装置における機能モジュールは、図３に示されるプロセッサ及びメモリによって実装され得る。プロセッサは、他の構成要素を実行又は制御し、本発明の実施形態の方法手順における段階を完了し、全ての機能を実装し得る。
【０１２３】
図６Ａを参照すると、装置は、第１の設定モジュール６０１、第２の設定モジュール６０２、及び伝送モジュール６０３を含む。
【０１２４】
第１の設定モジュール６０１は、図４の実施形態における段階４０１を実行するよう構成される。
【０１２５】
第２の設定モジュール６０２は、図４の実施形態における段階４０２を実行するよう構成される。
【０１２６】
伝送モジュール６０３は、図４の実施形態における段階４０３を実行するよう構成される。
【０１２７】
スケジューリング期間における複数のキャリアのトラフィックチャネルの共有の伝送電力が、複数のキャリアのトラフィックチャネルに対するスケジューリング期間より以前のスケジューリング期間の複数の共有のトラフィック電力を設定した後に取得され、以前のスケジューリング期間の複数の共有のトラフィック電力が、複数のキャリアのトラフィックチャネルの最大伝送電力及び以前のスケジューリング期間における複数のキャリアのトラフィックチャネルの実際の伝送電力に基づいて決定することによって取得される。
【０１２８】
オプションで、図６Ｂを参照すると、装置は、さらに、第１の決定モジュール６０４、第２の決定モジュール６０５、及び第３の設定モジュール６０６を含む。
【０１２９】
第１の決定モジュール６０４は、図４の実施形態における段階４０４を実行するよう構成される。
【０１３０】
第２の決定モジュール６０５は、図４の実施形態における段階４０５を実行するよう構成される。
【０１３１】
第３の設定モジュール６０６は、図４の実施形態における段階４０６を実行するよう構成される。
【０１３２】
オプションで、第２の決定モジュール６０５は、以下のように構成される。
【０１３３】
複数のキャリアにおけるキャリアごとに、キャリアのトラフィックチャネルの最大伝送電力からキャリアのトラフィックチャネルの実際の伝送電力を引くことによって取得された電力が予め設定した電力より大きいとき、取得された電力を共有のトラフィック電力として決定する。
【０１３４】
オプションで、図６Ｃを参照すると、第３の設定モジュール６０６は、決定ユニット６０６１及び設定ユニット６０６２を含む。
【０１３５】
決定ユニット６０６１は複数のキャリアのトラフィックチャネルにおける複数のターゲットトラフィックチャネルを決定するよう構成される。ここで、複数のターゲットトラフィックチャネルは、トラフィック性能が改善される必要があるチャネルである。
【０１３６】
設定ユニット６０６２は、スケジューリング期間に対する次のスケジューリング期間における複数のターゲットトラフィックチャネルの共有の伝送電力を取得すべく、複数のターゲットトラフィックチャネルに対するスケジューリング期間の複数の共有のトラフィック電力を設定するよう構成される。
【０１３７】
オプションで、図６Ｄを参照すると、装置は、第１の制御モジュール６０７及び第２の制御モジュール６０８をさらに含む。
【０１３８】
第１の制御モジュール６０６は、複数のキャリアにおけるキャリアごとに、キャリアが近い位置の端末と通信するキャリアであるとき、キャリアのトラフィックチャネルの最大伝送電力が変化しない状態を維持し、キャリアのトラフィックチャネルによって占有されるリソースブロックＲＢの数を増加させ、キャリアのトラフィックチャネルの電力スペクトル密度を減少させるよう構成される。ここで、近い位置の端末とネットワークデバイスとの間の距離は、予め設定した距離より短い。
【０１３９】
第２の制御モジュール６０７は、キャリアが遠い位置の端末と通信するキャリアであるとき、キャリアのトラフィックチャネルの最大伝送電力が変化しない状態を維持し、キャリアのトラフィックチャネルによって占有されるＲＢの数を減少させ、キャリアのトラフィックチャネルの電力スペクトル密度を増加させるよう構成される。ここで、遠い位置の端末とネットワークデバイスとの間の距離は、予め設定した距離より短くない。
【０１４０】
オプションで、複数のキャリアは、異なる規格及び／又は異なる周波数帯のキャリアを含む。
【０１４１】
本発明の実施形態において、まず、伝送されるべき複数のキャリアの共通チャネルの最大伝送電力が、ネットワークデバイスの信号カバレッジに基づいて設定されて、ネットワークデバイスの信号カバレッジが縮小しないことを保証する。そして、複数のキャリアのトラフィックチャネルの最大伝送電力が、ネットワークデバイスの総信号伝送電力及び複数のキャリアの共通チャネルの最大伝送電力に基づいて設定される。スケジューリング期間ごとに、スケジューリング期間より以前のスケジューリング期間の複数の共有のトラフィック電力が、複数のキャリアのトラフィックチャネルの最大伝送電力及び以前のスケジューリング期間における複数のキャリアのトラフィックチャネルの実際の伝送電力に基づいて決定され、スケジューリング期間における複数のキャリアのトラフィックチャネルの共有の伝送電力を取得すべく、以前のスケジューリング期間の複数の共有のトラフィック電力が複数のキャリアのトラフィックチャネルに対して設定される。その後、複数のキャリアが、複数のキャリアの共通チャネルの最大伝送電力と、複数のキャリアのトラフィックチャネルの最大伝送電力と、スケジューリング期間における複数のキャリアのトラフィックチャネルの共有の伝送電力とに基づいて、スケジューリング期間において伝送され、その結果、複数のキャリアのトラフィックチャネルのトラフィックスループットが、ネットワークデバイスの信号カバレッジを縮小させることなく、使用するために複数のキャリアのトラフィックチャネルと複数の共有の電力を共有することによって改善される。
【０１４２】
図７は、本発明の実施形態によるキャリア電力制御装置の概略構造図である。キャリア電力制御装置がネットワークデバイスに適用され、ソフトウェア、ハードウェア、又はこれらの組み合わせを用いることによって、ネットワークデバイスの一部又は全部であり得る。ネットワークデバイスは、図３に示されるネットワークデバイスであり得る。キャリア電力制御装置は、機能モジュールの形態で示され得る。この場合、キャリア電力制御装置における機能モジュールは、図３に示されるプロセッサ及びメモリによって実装され得る。プロセッサは、他の構成要素を実行又は制御し、本発明の実施形態の方法手順における段階を完了し、全ての機能を実装し得る。
【０１４３】
図７を参照すると、装置は、第１の設定モジュール７０１、第２の設定モジュール７０２、第１の制御モジュール７０３、及び第２の制御モジュール７０４を含む。
【０１４４】
第１の設定モジュール７０１は、図５の実施形態における段階５０１を実行するよう構成される。
【０１４５】
第２の設定モジュール７０２は、図５の実施形態における段階５０２を実行するよう構成される。
【０１４６】
第１の制御モジュール７０３は、図５の実施形態における段階５０４を実行するよう構成される。
【０１４７】
第２の制御モジュール７０４は、図５の実施形態における段階５０５を実行するよう構成される。
【０１４８】
本発明の実施形態において、まず、伝送されるべき複数のキャリアの共通チャネルの最大伝送電力が、ネットワークデバイスの信号カバレッジに基づいて設定されて、ネットワークデバイスの信号カバレッジが縮小しないことを保証する。そして、複数のキャリアのトラフィックチャネルの最大伝送電力が、ネットワークデバイスの総信号伝送電力及び複数のキャリアの共通チャネルの最大伝送電力に基づいて設定される。その後、複数のキャリアにおけるキャリアごとに、キャリアが近い位置の端末と通信するキャリアであるとき、キャリアのトラフィックチャネルの最大伝送電力が変化しない状態が維持され、キャリアのトラフィックチャネルによって占有されるＲＢの数が増加し、キャリアのトラフィックチャネルの電力スペクトル密度が減少する。キャリアが遠い位置の端末と通信するキャリアであるとき、キャリアのトラフィックチャネルの最大伝送電力が変化しない状態が維持され、キャリアのトラフィックチャネルによって占有されるＲＢの数が減少し、キャリアのトラフィックチャネルの電力スペクトル密度が増加する。その結果、キャリアのトラフィックチャネルの最大伝送電力が変化しない状態を維持するときに、キャリアのトラフィックチャネルのトラフィックスループットが、ネットワークデバイスの信号カバレッジを縮小させることなく、電力リソース及びスペクトルリソースを動的に調整することによって改善される。
【０１４９】
上述の実施形態において提供されるキャリア電力制御装置がキャリア電力を制御するとき、上述の機能モジュールの分割が説明のための例として用いられるに過ぎないことに留意されたい。実際のアプリケーションにおいて、上述の機能が、必要に応じて、異なる機能モジュールに割り当てられて実装し得る。すなわち、装置の内部構造が異なる機能モジュールに分割されて、上述の全部又は一部の機能を実装する。加えて、上述の実施形態によって提供されるキャリア電力制御装置は、キャリア電力制御方法の実施形態のものと同一の概念を有する。具体的な実装手順について、方法の実施形態を参照し、それは、ここでは再び説明されない。
【０１５０】
上述の実施形態の全部又は一部は、ソフトウェア、ハードウェア、ファームウェア、又はこれらの任意の組み合わせによって実装され得る。ソフトウェアが実施形態を実装するのに用いられるとき、実施形態が、コンピュータプログラムプロダクトの形態で完全に又は部分的実装され得る。コンピュータプログラムプロダクトは、１又は複数のコンピュータ命令を含む。コンピュータ命令がコンピュータ上にロードされて実行されるとき、本発明の実施形態による手順又は機能が全て又は部分的に生成される。コンピュータは、汎用コンピュータ、専用コンピュータ、コンピュータネットワーク、又は他のプログラム可能な装置であり得る。コンピュータ命令がコンピュータ可読記憶媒体に格納されてよく、又はコンピュータ可読記憶媒体から他のコンピュータ可読記憶媒体に伝送されてよい。例えば、コンピュータ命令は、有線方式（例えば、同軸ケーブル、光ファイバ、若しくはデジタル加入者線（Ｄｉｇｉｔａｌ  Ｓｕｂｓｃｒｉｂｅｒ  Ｌｉｎｅ、ＤＳＬ））、又は無線方式（例えば、赤外線、電波、及びマイクロ波、若しくは同様のもの）で、ウェブサイト、コンピュータ、サーバ、又はデータセンタから、他のウェブサイト、コンピュータ、サーバ、又はデータセンタに伝送され得る。コンピュータ可読記憶媒体は、コンピュータによってアクセス可能な任意の使用可能な媒体、又は、１若しくは複数の使用可能な媒体を統合したサーバ若しくはデータセンタのような、データストレージデバイスであり得る。使用可能な媒体は、磁気媒体（例えば、フロッピーディスク、ハードディスク、若しくは磁気テープ）光媒体（例えば、デジタル多用途ディスク（Ｄｉｇｉｔａｌ  Ｖｅｒｓａｔｉｌｅ  Ｄｉｓｃ、ＤＶＤ））、半導体媒体（例えば、ソリッドステートドライブ（Ｓｏｌｉｄ  Ｓｔａｔｅ  Ｄｉｓｋ、ＳＳＤ））又は同様のものであり得る。
【０１５１】
上述の説明は本願の実施形態に過ぎないが、本願を限定することを意図するものではない。本願の主旨及び原理から逸脱することなく行われる任意の変更、均等な置換、又は改良が、本願の保護範囲に含まれるべきである。
【図１】
0006900625.tif 000005
【図２】
0006900625.tif 000006
【図３】
0006900625.tif 000007
【図４】
0006900625.tif 000008
【図５】
0006900625.tif 000009
【図６Ａ】
0006900625.tif 000010
【図６Ｂ】
0006900625.tif 000011
【図６Ｃ】
0006900625.tif 000012
【図６Ｄ】
0006900625.tif 000013
【図７】
0006900625.tif 000014